(57)【要約】【課題】  意匠性が良好であり、施工も容易な換気装置付きの窓の提供。【解決手段】  枠１と障子２ａ，２ｂと網戸３と換気装置４を備え、障子２ａ，２ｂは、枠１に沿ってスライドして開閉するものであり、網戸３は、障子２ａ，２ｂよりも室外側に設けてあり、換気装置４は、外気の取入口５と吹き出し口６を有し、枠の内周側見込み面７に沿って取付けてあり、網戸３の框８の室内側で且つ障子２ｂの戸先框１０ｂの室外側に隣接して位置しており、障子２ｂを換気装置４の幅内で開けたときに、換気装置４の外気の取入口５と吹き出し口６を通じて室内外が連通する。【選択図】      図１
2015224433.tif 000002
【特許請求の範囲】
【請求項１】
枠と障子と網戸と換気装置を備え、障子は、枠に沿ってスライドして開閉するものであり、網戸は、障子よりも室外側に設けてあり、換気装置は、外気の取入口と吹き出し口を有し、枠の内周側見込み面に沿って取付けてあり、網戸の框の室内側で且つ障子の戸先框の室外側に隣接して位置しており、障子を換気装置の幅内で開けたときに、換気装置の外気の取入口と吹き出し口を通じて室内外が連通することを特徴とする窓。
【請求項２】
枠と障子と網戸と換気装置を備え、障子は、枠に沿ってスライドして開閉するものであり、網戸は、障子よりも室外側に設けてあり、換気装置は、外気の取入口と吹き出し口を有し、枠の内周側見込み面に沿って取付けてあり、障子の戸先框の室内側に隣接して位置し、戸先框の内周側縁よりも内周側に飛び出さないように設けてあり、障子を換気装置の幅内で開けたときに、換気装置の外気の取入口と吹き出し口を通じて室内外が連通することを特徴とする窓。
【発明の詳細な説明】
【技術分野】
【０００１】
本発明は、換気装置付きの窓に関する。
【背景技術】
【０００２】
降雨時や就寝時等に、障子を閉めたままで換気が行えるようにするため、従来より障子の框に換気口を設けたものがあった（例えば、特許文献１参照。）。
上記のような従来の窓では、換気口を設けるために障子の框の見付け寸法が太くなり、意匠性が悪い。
【先行技術文献】
【特許文献】
【０００３】
【特許文献１】特開２０１０−２７０５２４号公報
【発明の概要】
【発明が解決しようとする課題】
【０００４】
本発明は以上に述べた実情に鑑み、意匠性が良好であり、施工も容易な換気装置付きの窓の提供を目的とする。
【課題を解決するための手段】
【０００５】
上記の課題を達成するために請求項１記載の発明による窓は、枠と障子と網戸と換気装置を備え、障子は、枠に沿ってスライドして開閉するものであり、網戸は、障子よりも室外側に設けてあり、換気装置は、外気の取入口と吹き出し口を有し、枠の内周側見込み面に沿って取付けてあり、網戸の框の室内側で且つ障子の戸先框の室外側に隣接して位置しており、障子を換気装置の幅内で開けたときに、換気装置の外気の取入口と吹き出し口を通じて室内外が連通することを特徴とする。
【０００６】
請求項２記載の発明による窓は、枠と障子と網戸と換気装置を備え、障子は、枠に沿ってスライドして開閉するものであり、網戸は、障子よりも室外側に設けてあり、換気装置は、外気の取入口と吹き出し口を有し、枠の内周側見込み面に沿って取付けてあり、障子の戸先框の室内側に隣接して位置し、戸先框の内周側縁よりも内周側に飛び出さないように設けてあり、障子を換気装置の幅内で開けたときに、換気装置の外気の取入口と吹き出し口を通じて室内外が連通することを特徴とする。
【発明の効果】
【０００７】
請求項１記載の発明による窓は、換気装置が枠の内周側見込み面に取付けてあって、網戸の框の室内側で且つ障子の戸先框の室外側に隣接して位置しており、障子を換気装置の幅内で開けることで、換気装置の外気の取入口と吹き出し口を通じて換気が行えるようにしたので、障子の框の見付け寸法が大きくならず、意匠性が良い。また、枠と障子には特別な細工が不要で、枠の内周側見込み面に換気装置を取付けるだけで簡易に施工でき、既存の窓に換気装置を後付けすることもできる。しかも、障子を換気装置の幅内で開けて換気を行っているときに、網戸の框と換気装置とで直接的な雨掛かりを防ぎ、室内への雨の吹き込みを抑えることができる。
【０００８】
請求項２記載の発明による窓は、換気装置が枠の内周側見込み面に取付けてあって、障子の戸先框の室内側に隣接して位置しており、障子を換気装置の幅内で開けることで、換気装置の外気の取入口と吹き出し口を通じて換気が行えるようにしたので、障子の框の見付け寸法が大きくならず、意匠性が良い。また、枠と障子には特別な細工が不要で、枠の内周側見込み面に換気装置を取付けるだけで簡易に施工でき、既存の窓に換気装置を後付けすることもできる。しかも、障子を換気装置の幅内で開けて換気を行っているときに、網戸の框と換気装置とで直接的な雨掛かりを防ぎ、室内への雨の吹き込みを抑えることができる。さらに、換気装置は戸先框の内周側縁よりも内周側に飛び出さないように設けてあることで、換気装置が障子のガラス面に被らないので、窓の採光と眺望が阻害されない。
【図面の簡単な説明】
【０００９】
【図１】本発明の窓の第１実施形態を示す横断面図であって、換気時の状態を示す。
【図２】第１実施形態の窓の横断面図であって、障子閉鎖時の状態を示す。
【図３】第１実施形態の窓の縦断面図である。
【図４】第１実施形態の窓の室内側正面図であって、換気時の状態を示す。
【図５】第１実施形態の窓の室内側正面図であって、障子閉鎖時の状態を示す。
【図６】第１実施形態の窓における換気装置の周辺を拡大して示す横断面図であって、（ａ）は風が無風ないし弱いときの状態、（ｂ）は強風時の状態を示す。
【図７】本発明の窓の第２実施形態を示す横断面図であって、換気時の状態を示す。
【図８】第２実施形態の窓の横断面図であって、障子閉鎖時の状態を示す。
【図９】第２実施形態の窓の縦断面図である。
【図１０】本発明の窓の第３実施形態を示す横断面図であって、換気時の状態を示す。
【図１１】第３実施形態の窓の横断面図であって、障子閉鎖時の状態を示す。
【図１２】第３実施形態の窓の縦断面図である。
【図１３】第３実施形態の窓における換気装置の周辺を拡大して示す横断面図であって、（ａ）は風が無風ないし弱いときの状態、（ｂ）は強風時の状態を示す。
【図１４】本発明の窓の第４実施形態を示す横断面図であって、換気時の状態を示す。
【図１５】第４実施形態の窓の横断面図であって、障子閉鎖時の状態を示す。
【図１６】本発明の窓の第５実施形態を示す横断面図であって、換気時の状態を示す。
【図１７】第５実施形態の窓の横断面図であって、障子閉鎖時の状態を示す。
【図１８】本発明の窓の第６実施形態を示す横断面図であって、換気時の状態を示す。
【図１９】第６実施形態の窓の横断面図であって、障子閉鎖時の状態を示す。
【発明を実施するための形態】
【００１０】
以下、本発明の実施の形態を図面に基づいて説明する。図１〜６は、本発明に係る窓の第１実施形態を示している。本窓は、いわゆる引違い窓であって、図１に示すように、躯体開口部に設置される枠１と、枠１内に引違い状に開閉自在に収めた外障子２ａ及び内障子２ｂと、枠１の室外側端部に左右に移動可能に設けた網戸３と、内障子２ｂの戸先側にあたる室内側から見て右側の竪枠１１ｂの内周側見込み面７に沿って取付けた換気装置４とを備えている。
【００１１】
枠１は、上枠１２と下枠１３と左右の竪枠１１ａ，１１ｂとを枠組みして構成してある。
外障子２ａと内障子２ｂは、上框１４ａ，１４ｂと下框１５ａ，１５ｂと戸先框１０ａ，１０ｂと召合せ框１６ａ，１６ｂとを框組みし、その内側に複層ガラス１７を納めて構成してある。各框１４ａ，１４ｂ，１５ａ，１５ｂ，１０ａ，１０ｂ，１６ａ，１６ｂは、内周側に開口した溝１８を有し、その溝１８にグレチャン１９を介して複層ガラス１７の端縁部を嵌め込んで保持している。また框１４ａ，１４ｂ，１５ａ，１５ｂ，１０ａ，１０ｂ，１６ａ，１６ｂは、室外側の部分がアルミ形材で形成され、室内側の部分が樹脂形材で形成してある。
外障子２ａと内障子２ｂは、図３に示すように、上枠１２と下枠１３とに設けたレール２０ａ，２０ｂに案内され、上下枠１２，１３の長手方向に沿って摺動自在となっており、図２に示すように、閉鎖時に外障子２ａは室内側から見て左側に、内障子２ｂは室内側から見て右側に位置し、クレセント２１により施錠される。
網戸３は、上框２２と下框２３と左右の竪框８，８を框組みし、その内側に網２４を張って構成してある。網戸３は、図３に示すように、上枠１２の室外側端部に形成した垂下片２５と、下枠１３の室外側端部に形成した網戸レール２６とに案内され、上下枠１２，１３の長手方向に沿って摺動可能となっており、内障子２ｂを開けるときは、図１，２に示すように、室内側から見て右端の竪枠１１ｂに突き当てられ、外障子２ａを開けるときは、室内側から見て左側の竪枠１１ａに突き当てて配置される。
【００１２】
換気装置４は、図１〜３に示すように、縦に長い筒状のケース２７と、ケース２７の上下端部に取付けられたキャップ部３０，３０とで、箱状に構成されている。換気装置４は、図２に示すように、内外障子２ａ，２ｂを閉め且つ網戸３を室内側から見て右端に寄せた状態で、網戸３の竪框８の室内側に位置し、且つ内障子２ｂの戸先框１０ｂの室外側に隣接して位置している。換気装置４の横幅は、網戸３の竪框８の横幅とほぼ同じになっている。また換気装置４は、内障子２ｂの戸先框１０ｂの内周側縁３６よりも内周側に飛び出さないように設けてある。そのため、室外側から見ると換気装置４は網戸３の竪框８に隠れて見えず、室内側から見ると換気装置４は内障子２ｂの戸先框１０ｂに隠れて見えないようになっている。換気装置４の見込み（奥行き）寸法は、外障子２ａの見込み寸法とほぼ同じになっている。
換気装置４のケース２７の内周側見込み面には、図１〜３に示すように、外気の取入口５が長孔状に上下方向に間隔をおいて多数設けてある。換気装置４のケース２７の室内側面には、図１，２，４に示すように、外気の吹き出し口６が長孔状に上下方向に間隔をおいて多数設けてある。そして、図１に示すように、内障子２ｂを換気装置４の幅内で少し開けることで、図中に矢印で示すように、換気装置４の外気の取入口５と吹き出し口６を通じて外気を室内に導入し、換気を行うことができる。このとき、換気装置４とその前面に配置された網戸３の竪框８と換気装置４の後面に配置された内障子２ｂの戸先框１０ｂとで構成された迷路構造によって、直接的な雨掛かりを防ぎ、雨の吹き込みを抑えることができる。また、換気装置４が箱状に形成され、外気の取入口５と吹き出し口６とが箱状の本体の異なる面に設けてあることでも、雨が室内に吹き込みにくい。また、吹き出し口６が室内側に向けて設けてあるので、風をスムーズに室内に採り込むことができる。
【００１３】
換気装置４のケース２７の室内側面には、図１，２に示すように、吹き出し口６の内周側の位置にタイト材９が長手方向に沿って取付けてあり、このタイト材９により換気装置４と内障子２ｂの戸先框１０ｂとの隙間を塞いでいる。これにより、図１に示すように、内障子２ｂを少し開けて換気を行っているときに、雨が室内に吹き込むのを確実に防止できる。
網戸３の竪框８は、図１に示すように、室内側面にモヘア２８が長手方向に沿って取付けてあり、モヘア２８は換気装置４の室外側面と外障子２ａの召合せ框１６ａの室外側面に当接している。これにより、換気時における虫の侵入を防止することができる。
さらに、換気装置４のケース２７内には、図１，６に示すように、通風量を調節するための羽根２９が設けてある。羽根２９は、図６に示すように、上下端部がバネ（引張りバネ）３７でキャップ部３０と連結してある。風が無風ないし弱いときに羽根２９は、図１中の実線及び図６（ａ）の位置にあって、風が強くなると、図１中の点線及び図６（ｂ）に示すように、バネ３７が伸びながら羽根２９が吹き出し口６を塞ぐ方向に移動して、強風が室内に吹き込むのを阻止する。また、このように羽根２９が設けてあることで、雨が室内に吹き込むのを抑える働きもある。風が弱まると、羽根２９はバネ３７の力で図１中の実線及び図６（ａ）の位置に戻る。
【００１４】
換気装置４の上下端部に設けたキャップ部３０，３０は、図３に示すように、本換気装置４を竪枠１１ｂに取付けるための取付部３１を兼ねており、キャップ部３０に内周側から挿通したネジ３２を竪枠１１ｂにねじ込むことで、本換気装置４を竪枠１１ｂに固定している。取付部３１は、上下枠１２，１３のレール２０ａを避けた位置に配置してあり、そのため竪枠１１ｂに内周側から換気装置４を容易に取付けることができ、既存のサッシの竪枠に換気装置４を後付けすることもできる。また取付部３１は、上枠１２と下枠１３に隠蔽されるため、室内外から取付部３１が見えにくく、意匠性が良い。
【００１５】
外障子２ａの下框１５ａの室内側面には、図１，４に示すように、上述のように内障子２ｂを換気装置４の幅内で少し開けて換気を行う際に、内障子２ｂがそれ以上開かないように規制するストッパー３３を有している。このようにストッパー３３で内障子２ｂの開く範囲を狭い範囲に規制することで、換気時に防犯性を確保できる。なお、夏の日中などに内障子２ｂを大きく開けたいときには、図２に示すように、ストッパー３３を下框１５ａ内に没入させればよい。
【００１６】
以上に述べたように本窓は、換気装置４が竪枠１１ｂの内周側見込み面７に取付けてあって、網戸３の竪框８の室内側で且つ内障子２ｂの戸先框１０ｂの室外側に隣接して位置しており、内障子２ｂを換気装置４の幅内で開けることで、換気装置４の外気の取入口５と吹き出し口６を通じて換気が行えるようにしたので、障子２ａ，２ｂの框１４ａ，１４ｂ，１５ａ，１５ｂ，１０ａ，１０ｂ，１６ａ，１６ｂの見付け寸法が大きくならず、且つ室外側から見ると換気装置４は網戸２の竪框８に隠れ、室内側から見ると換気装置４は内障子２ｂの戸先框１０ｂに隠れるので（図２参照）、意匠性が良い。また、枠１と障子２ａ，２ｂには特別な細工が不要で、竪枠１１ｂの内周側見込み面７に換気装置４を取付けるだけで簡易に施工でき、既存の窓に換気装置４を後付けすることもできる。しかも、内障子２ｂを換気装置４の幅内で開けて換気を行っているときに、網戸３の竪框８と換気装置４とで直接的な雨掛かりを防ぎ、室内への雨の吹き込みを抑えることができる。さらに、内障子２ｂの戸先框１０ｂと換気装置４との隙間がタイト材９で塞がれていることで、虫の侵入と雨の吹き込みをより一層確実に防ぐことができる。本窓は、内障子２ｂを換気装置４の幅内で少し開けるだけで、雨の吹き込みを抑えつつ換気が行え、使い勝手が良い。また換気装置４は、戸先框１０ｂの内周側縁３６よりも内周側に飛び出さないように設けてあることで、換気装置４が内障子２ｂのガラス面に被らないので、窓の採光と眺望が阻害されない。
換気装置４のケース２７内に可動式の羽根２９をバネ３７で付勢して設けてあることで、強風が室内に吹き込むのを防ぐことができる。羽根２９は、換気装置４のケース２７内に収納されているので、羽根２９がケース２７の外観から見えにくく、意匠性が良い。
【００１７】
図７〜９は、本発明に係る窓の第２実施形態を示している。この実施形態では、換気装置４を外障子２ａの戸先側にあたる室内側から見て左側の竪枠１１ａの内周側見込み面７に沿って取付けている。
換気装置４は、図８に示すように、外障子２ａの戸先框１０ａの室内側に隣接して位置しており、室外側面に外気の取入口５を有し、内周側見込み面に外気の吹き出し口６を有している。換気装置４は、外障子２ａの戸先框１０ａの内周側縁３６よりも内周側に飛び出さないように設けてある。また、換気装置４の室外側面の内周側端部位置にタイト材９が長手方向に沿って取付けてあり、タイト材９により外障子２ａの戸先框１０ａと換気装置４との隙間を塞いでいる。換気装置４の上下端部に設けられるキャップ部３０，３０には、図９に示すように、竪枠１１ａへの取付部３１が上下枠１２，１３のレール２０ｂを避けるように二股状に形成されている。
【００１８】
本実施形態の窓は、図７に示すように、外障子２ａを換気装置４の幅内で少し開けるだけで、網戸２の竪框８と外障子２ａの戸先框１０ａ及び換気装置とで構成される迷路構造によって、直接的な雨掛かりを防ぎ、雨の吹き込みを抑えながら換気を行うことができる。また、換気装置４が箱状に形成され、外気の取入口５と吹き出し口６とが箱状の本体の異なる面に設けてあることでも、雨が室内に吹き込みにくい。また、外気の取入口５が室外側面に、吹き出し口６が内周側見込み面に設けてあるので、風をスムーズに室内に採り込むことができる。さらに、外障子２ａの戸先框１０ａと換気装置４との隙間がタイト材９で塞がれていることで、虫の侵入と雨の吹き込みをより一層確実に防ぐことができる。また、第１実施形態と同様に、竪枠１１ａの内周側見込み面７に換気装置４を取付けるだけで簡易に施工でき、既存の窓に換気装置４を後付けすることもできる。換気装置４は、戸先框１０ａの内周側縁３６よりも内周側に飛び出さないように設けてあることで、換気装置４が外障子２ａのガラス面に被らないので、窓の採光と眺望が阻害されない。
【００１９】
図１０〜１３は、本発明の窓の第３実施形態を示している。本実施形態は、第１実施形態と同様に、内障子２ｂの戸先側（室内側から見て右側）の竪枠１１ｂに換気装置４を取付けたものであり、換気装置４のケース２７は２つの形材２７ａ，２７ｂに分割して構成され、外気の取入口５と吹き出し口６がそれぞれ縦長のスリット状に形成されている。
換気装置４の内部には、強風の吹き込みを防ぐための可動式の羽根２９を備えている。羽根２９は、図１３に示すように、上下端部がバネ（引張りバネ）３７でキャップ部３０と連結してあり、風が無風ないし弱いときに羽根２９は、図１０中の実線及び図１３（ａ）の位置にあって、風が強くなると、図１０中の点線及び図１３（ｂ）に示すように、バネ３７が伸びながら羽根２９が吹き出し口６を塞ぐ方向に移動して、強風が室内に吹き込むのを阻止する。風が弱まると、羽根２９はバネ３７の力で図１０中の実線及び図１３（ａ）の位置に戻る。
【００２０】
図１４，１５は、本発明の窓の第４実施形態を示している。本実施形態は、第１実施形態と同様に、内障子２ｂの戸先側（室内側から見て右側）の竪枠１１ｂに換気装置４を取付けたものであり、換気装置４の内部には固定式の邪魔板３４が外気の取入口５と対向するように設けられ、これにより換気装置４内部の風の流入経路を迷路のようにしてある。このように邪魔板３４を設けることで、雨の吹き込みを防止できる。邪魔板３４は、換気装置４のケース２７内に収納されているので、邪魔板３４がケース２７の外観から見えにくく、意匠性が良い。
【００２１】
図１６，１７は、本発明の窓の第５実施形態を示している。本実施形態は、第１実施形態と同様に、内障子２ｂの戸先側（室内側から見て右側）の竪枠１１ｂに換気装置４を取付けたものであり、換気装置４はこれまでに説明した実施形態よりも横幅が大きく、図１７に示すように、内障子２ｂを閉めた状態で、内障子２ｂの戸先框１０ｂよりも内周側にはみ出している。外気の取入口５は内周側の見込み面に設けられ、吹き出し口６は室内側面の竪枠１１ｂ側の端部に設けてある。本窓は、図１６に示すように、内障子２ｂを換気装置４の幅内で開けて換気を行う。このときの内障子２ｂの開ける寸法は１１０ｍｍである。
本実施形態は、換気装置４の横幅が大きく、外気の取入口５から吹き出し口６までの距離が長く、且つ換気装置４内部の室外側面と室内側面とに邪魔板３４が複数配置されていることで、換気時に雨の吹き込みをさらに防止できる。
【００２２】
図１８，１９は、本発明の窓の第６実施形態を示している。本実施形態は、第５実施形態と同様に換気装置４の横幅を大きくしてあり、外気の取入口５を換気装置４の内周側見込み面の他、換気装置４の室外側面にも設けてあり、各取入口５に対応した吹き出し口６を換気装置４の室内側面に左右方向に間隔をおいて設け、外気の流入経路３５ａ，３５ｂを２系統設けている。内周側の外気の流入経路３５ａは、内部に邪魔板３４を設けることで雨の吹き込みを防いであり、外周側の外気の流入経路３５ｂは、外気の取入口５と吹き出し口６の位置を左右にずらすと共に、換気装置４内部の室外側面と室内側面とに邪魔板３４を複数配置することで、雨の吹き込みを防いでいる。このように、外気の流入経路３５ａ，３５ｂを２系統設けることで、換気性能を高めることができる。
【００２３】
本発明は以上に述べた実施形態に限定されない。本発明の窓は、引違い窓に限らず、可動障子が１枚の片引き窓や、上げ下げ窓に適用することもできる。第３〜第６実施形態についても、第２実施形態のように、外障子の戸先側の竪枠に換気装置を取付けることもできる。枠、障子及び網戸の構成は任意である。障子ストッパーは、例えば換気装置と障子の戸先框とに各々係合部を設け、その係合部がお互いに係合するもの等であってもよい。
【符号の説明】
【００２４】
１  枠
２ａ  外障子（障子）
２ｂ  内障子（障子）
３  網戸
４  換気装置
５  外気の取入口
６  外気の吹き出し口
７  竪枠の内周側見込み面
８  網戸の竪框
９  タイト材
１０ａ，１０ｂ  戸先框
３６  戸先框の内周側縁
【図１】
2015224433.tif 000003
【図２】
2015224433.tif 000004
【図３】
2015224433.tif 000005
【図４】
2015224433.tif 000006
【図５】
2015224433.tif 000007
【図６】
2015224433.tif 000008
【図７】
2015224433.tif 000009
【図８】
2015224433.tif 000010
【図９】
2015224433.tif 000011
【図１０】
2015224433.tif 000012
【図１１】
2015224433.tif 000013
【図１２】
2015224433.tif 000014
【図１３】
2015224433.tif 000015
【図１４】
2015224433.tif 000016
【図１５】
2015224433.tif 000017
【図１６】
2015224433.tif 000018
【図１７】
2015224433.tif 000019
【図１８】
2015224433.tif 000020
【図１９】
2015224433.tif 000021